(57)【特許請求の範囲】
【請求項１】
ＩＣチップとアンテナを備えた非接触ＩＣモジュールの一方の面に表面カバーシート、他方の面に見返りシートを設け、前記それぞれのシートの対向する側の面に低温熱硬化型の接着剤層を設け、前記それぞれの接着剤層同士を積層してなる表紙部を有する冊子であって、前記表面カバーシートと前記見返りシートの対向する面上で、かつ、前記非接触ＩＣモジュールが設けられた領域以外の領域に蛍光材料を用いた印刷層が形成されていることを特徴とする偽造防止機能付き非接触個別認証用冊子。
【請求項２】
ＩＣチップとアンテナを備えた非接触ＩＣモジュールの一方の面に光学濃度が２．００から２．５０の範囲にある表面カバーシート、他方の面に光学濃度が０．８５から１．３９の範囲にある見返りシートを設け、前記それぞれのシートの対向する側の面に接着剤層を設け、前記それぞれの接着剤層同士を積層してなる表紙部を有する冊子であって、前記表面カバーシートと前記見返りシートの対向する面上で、かつ、前記非接触ＩＣモジュールが設けられた領域以外の領域に蛍光材料を用いた印刷層が形成されていることを特徴とする偽造防止機能付き非接触個別認証用冊子。
【請求項３】
前記接着剤層に使用される接着剤は、低温熱硬化型であることを特徴とする請求項２に記載の偽造防止機能付き非接触個別認証用冊子。
【請求項４】
前記印刷層は、前記見返りシートの前記接着剤層の表面に設けられていることを特徴とする請求項１から３何れか一項に記載の偽造防止機能付き非接触個別認証用冊子。
【請求項５】
前記印刷層は、前記見返りシートと前記接着剤層の間に設けられていることを特徴とする請求項１から３何れか一項に記載の偽造防止機能付き非接触個別認証用冊子。
【発明の詳細な説明】
【技術分野】
【０００１】
本発明は、個人情報が入った非接触ＩＣモジュールを内蔵し、蛍光材料が印刷された偽造防止機能付き個別認証用冊子に関する。
【背景技術】
【０００２】
近年、非接触のＩＣモジュール（非接触ＩＣカード、ＩＣインレット、ＩＣタグ）が普及する中、例えはパスポートや預貯金通帳などに、個人情報などの記録が可能なＩＣモジュール（以下、ＩＣインレットと呼ぶ）を内蔵した非接触個人認証用冊子が利用されてきている。
【０００３】
このような非接触個別認証用冊子に内蔵されているＩＣインレットは、ＩＣチップとこのＩＣチップに接続されたアンテナの両面を樹脂シートで挟み込み、接合強度に優れたラミネーション処理を行うことで形成されたものが知られている。
【０００４】
最近、非接触個人認証用冊子においては、ＩＣインレット内蔵によるセキュリティ効果に加えて、新しい意匠性を持ち、偽造防止効果の高い印刷技術が望まれている。このため、近年、干渉マイカや酸化フレークマイカ、顔料コートアルミニウムフレーク、光学的変化フレーク等の特殊な光反射性粉体をインキや塗料に配合することで、観察角度によって色彩変化を生じさせるカラー・フリップフロップ性に優れた印刷物や観察角度によって画像が変化するホログラム等の光学的なセキュリティ要素を貼付したものが多く存在するようになった。
【発明の概要】
【発明が解決しようとする課題】
【０００５】
しかし、前記のような光学的な変化を示す偽造防止印刷は、一般的に高価な装置及び材料を必要とするため、付加的な製造工程が必要となり、製造コストが高いという問題があった。また、内蔵されているＩＣインレットのセイキュリティ効果は高いが、ＩＣインレットからの情報を読み取る装置は高価であるため、簡易的な真偽判定においては利便性を欠いていた。
【０００６】
偽造防止印刷として、ブラックライト等を用いて紫外線を照射することによって蛍光色を発する染料や顔料を含むインクを用いて図柄印刷を表面に設けたものがある。しかし、同じ色相に蛍光する染料や顔料を入手すれば容易に公知の印刷手段を用いて偽造できるという欠点があり、偽造防止効果としては不十分であった。また、表面に印刷されているため、蛍光材料が印刷されている部分と印刷されていない部分で表面の物性がことなり、紫外線を照射しなくとも角度によって目視で視認することができたりすることも問題であった。
【０００７】
そこで本発明は、このような問題点を考慮してなされたものであり、偽造防止効果を安価に、且つ、ＩＣインレットと組み合わせることにより更にセキュリティー性の高い非接触個別認証用冊子の提供を目的とする。
【課題を解決するための手段】
【０００８】
本発明の偽造防止機能付き非接触個別認証用冊子は、以下の各態様に記載の手段により上記の課題を解決するものである。
【０００９】
本発明の第１の態様は、ＩＣチップとアンテナを備えた非接触ＩＣモジュールの一方の面に表面カバーシート、他方の面に見返りシートを設け、前記それぞれのシートの対向する側の面に低温熱硬化型の接着剤層を設け、前記それぞれの接着剤層同士を積層してなる表紙部を有する冊子であって、前記表面カバーシートと前記見返りシートの対向する面上で、かつ、前記非接触ＩＣモジュールが設けられた領域以外の領域に蛍光材料を用いた印刷層が形成されていることを特徴とするものである。
【００１０】
本発明の第２の態様は、ＩＣチップとアンテナを備えた非接触ＩＣモジュールの一方の面に光学濃度が２．００から２．５０の範囲にある表面カバーシート、他方の面に光学濃度が０．８５から１．３９の範囲にある見返りシートを設け、前記それぞれのシートの対向する側の面に接着剤層を設け、前記それぞれの接着剤層同士を積層してなる表紙部を有する冊子であって、前記表面カバーシートと前記見返りシートの対向する面上で、かつ、前記非接触ＩＣモジュールが設けられた領域以外の領域に蛍光材料を用いた印刷層が形成されていることを特徴とするものである。
【００１１】
本発明の第３の態様は、前記第２の態様において、前記接着剤層に使用される接着剤は、低温熱硬化型であることを特徴とするものである。
【００１２】
本発明の第４の態様は、前記第１から前記第３の何れかの態様において、前記印刷層は、前記見返りシートの前記接着剤層の表面に設けられていることを特徴とするものである。
【００１３】
本発明の第５の態様は、前記第１から前記第３の何れかの態様において、前記印刷層は、前記見返りシートと前記接着剤層の間に設けられていることを特徴とするものである。
【発明の効果】
【００１４】
本発明によれば、蛍光材料を印刷する印刷層を冊子表紙部の内部に設けることにより、類似の前記蛍光材料を入手することができても容易に偽造が出来なくなると共に、紫外線の照射によって蛍光発色を確認でき、安価で高い偽造防止効果が得られる。また、簡易的な真偽判定においては、高価な読取装置を必要としないため、判定を行う場所の自由度を高くすることができる。
さらに、ＩＣインレットと前記蛍光材料によって印刷された図柄情報とを、組み合わせることにより、前記ＩＣインレットに記録されている情報と前記図柄情報とを、照合したり、又は前記ＩＣインレットからの情報と前記図柄情報からの情報を組み合わせることにより、さらに高いセキュリティー性を持たせることができる。
【図面の簡単な説明】
【００１５】
【図１】ＩＣインレット３０の平面図である。
【図２】ＩＣインレット３０の断面図である。
【図３】蛍光材料１６を見返りシート１２と表面カバーシート１１の対向する面に印刷した表紙部５の構造を示す断面図である。
【図４】蛍光材料１６を見返りシート１２と接着層１５の間に印刷する表紙部１０の構造を示す断面図である。
【図５】（ａ）は、ＩＣインレット３０を表面カバーシート１１、見返りシート１２で挟み込み表紙部１０を作成する状態の図である。同図（ｂ）は、同図（ａ）の表紙部１０に中身ページ部２０を取り付け指定サイズに裁断された冊子である。
【符号の説明】
【００１６】
１  非接触個別認証用冊子
５  表紙部
１０  表紙部
１１  表面カバーシート
１２  見返りシート
１５  接着剤層
１６  蛍光材印刷層
２０  中身ページ部
３０  ＩＣインレット
３１  アンテナ
３２  ＩＣチップ
３３  アンテナシート
【発明を実施するための形態】
【００１７】
以下、本発明の実施の形態について図１から５を参照して説明する。
図１は、本発明の一実施形態に係わる非接触個別認証用冊子の非接触ＩＣモジュールとして用いるＩＣインレット３０の平面図である。非接触ＩＣモジュールとしては、他にＩＣタグ等もあるが、本説明においては、非接触モジュールとしてＩＣインレット３０を使用した例にして説明する。ＩＣインレット３０は、アンテナ３１が形成されたアンテナシート３３と、アンテナシート３３に取り付けられたＩＣチップ３２とを備えている。
図２は、ＩＣインレット３０の断面図である。
【００１８】
アンテナシート３３の材料としては、ＰＥＴ（Polyethylene Terephthalate）、ＰＶＣ(Polyvinyl Chloride)、ＡＢＳ（Acrylonitril Butadiene Styrene）等からなる各種樹脂フィルムを好適に採用することができる。
【００１９】
ＩＣチップ３２は、アンテナシート３３のアンテナ３１と電気的に接続されており、これによってＩＣインレット３０は、外部のデータ読取装置との間において、非接触でデータの送受信を行うことができる。
【００２０】
図３は、表紙部５の構造を示す断面図である。表紙部５は、ＩＣインレット３０の一方の面に表面カバーシート１１を、他方の面に見返りシート１２を、表面カバーシート１１と見返りシート１２が対向するそれぞれの面に接着剤を塗布して設けた接着剤層１５を介して積層し形成されており、さらに、それぞれ何れかの接着剤層１５の表面に、ＩＣインレット３０が設けられた領域以外の領域に蛍光材印刷層１６が形成されている。
【００２１】
図４は、表紙部１０の構造を示す断面図である。表紙部１０は、ＩＣインレット３０の一方の面に表面カバーシート１１を、他方の面に見返りシート１２を、表面カバーシート１１と見返りシート１２が対向するそれぞれの面に接着剤を塗布して設けた接着剤層１５を介して積層し形成されており、さらに、ＩＣインレット３０が設けられた領域以外の領域において、見返りシート１２と見返りシート１２の接着剤層１５の間に蛍光材印刷層１６が形成されている。蛍光材印刷層１６は、図柄のみが印刷されることにより使用する蛍光材料が少なくて済むため、低コストで偽造防止を図ることができる。
【００２２】
蛍光材印刷層１６は、蛍光材料として蛍光顔料及び蛍光染料共に使用することが可能で、蛍光材料をシルク印刷用溶剤に溶かして使用し、シルク印刷にて形成する。インクジェット印刷でも可能であるが、乾燥後の蛍光材印刷層の厚みが３〜６μｍ必要であり、印刷層を厚くできるシルク印刷が好適である。
【００２３】
接着剤層１５に使用する接着剤は、有機フィラー、シリカ、高沸点背急系溶剤、トリメチルベンゼン、プロピレングリコールモノメチルエーテルアセテート、ヘキサメチレン、熱可塑性樹脂からなるものを好適に採用することができる。接着剤は、低温熱硬化型を有するものが好ましく、低温熱硬化型の特徴により強固な接着効果と高い耐候性、耐光性が得られる。
【００２４】
表面カバーシート１１は、光学濃度（ＯＤ値：Optical Density）が２．００から２．５０の範囲にあり、厚みが１９０〜２５０μｍ程度のオレフィン樹脂や塩化ビニルを紙にコーティングしたものなどを使用することができる。見返りシート１２は、光学濃度（ＯＤ値）が０．８５から１．３９の範囲にあり、厚みが１７０〜３１０μｍ程度のオレフィン系樹脂シートを使用することができる。透過率にして見返りシートは１０％前後、表面カバーシートは、１％以下であり、通常の室内照明では、蛍光の確認はできない。このため、表紙部５及び表紙部１０の蛍光材印刷層１６の図柄の視認には、暗室での強い蛍光照射、もしくはブラックライトが必要である。
【００２５】
上記のように、表紙部５及び表紙部１０の蛍光材印刷層１６は、太陽光の下では痕跡も確認するとは出来なく、ブラックライト等を用いた強い紫外線照射の下においてのみ、確認できることで、簡易的な真偽判定も利用可能である。さらに、ＩＣインレット３０との組み合わせることにより、蛍光材印刷層１６に印刷された図柄情報とＩＣインレット３０に記録されている情報とを、それぞれの情報を照合、又は組み合わせることにより、偽造防止に加え高いセキュリティー性を持たせることができる。
【００２６】
図５は、本発明による非接触個別認証用冊子１を作成する一例を示す図である。
図５（ａ）は、表面カバーシート１１又は見返りシート１２のそれぞれどちらかの接着剤層１５の表面に、蛍光材印刷層１６が形成された表面カバーシート１１、見返りシート１２でＩＣインレット３０を挟み込み、表紙部５を作成する状態の図である。表紙部５作成においては、見返りシート１２は冊子表紙の折り曲げ位置に対応したスリット１３を形成し、表面カバーシート１１と前記見返りシート１２の間にＩＣインレット３０を挟み込み、接着剤層１５を介して接着する。ラミネート機を使用することで、皺無く加工することができ、外観上の品質は高品位に保たれる。
【００２７】
図示は無いが、表紙部１０は、見返りシート１２と接着剤層１５の間に、蛍光材印刷層１６が形成された見返りシート１２と表面カバーシート１１でＩＣインレット３０を挟み込み形成する。表紙部５の作成と同様に、見返りシート１２は冊子表紙の折り曲げ位置に対応したスリット１３を形成し、表面カバーシート１１と前記見返りシート１２の間にＩＣインレット３０を挟み込み、接着剤層１５を介して接着する。ラミネート機を使用することで、皺無く加工することができ、外観上の品質は高品位に保たれる。
【００２８】
図５（ｂ）は、図５（ａ）の表紙部５に中身ページ部２０を取り付け、指定サイズに裁断された冊子である。中身ページ部２０は、表紙部５と一緒にミシン等で縫い合わされ、中抜き機や断裁機などで指定のサイズに裁断され冊子となる。スリット１３を設けることにより、冊子の折り曲げ部が薄くなり、折り曲げやすく、縫い合わせるミシンの負荷も軽減される効果が得られる。
【００２９】
（実施例１）
図３の表紙部５を使用し、下記に構成で本発明の冊子を作成した。その結果、目視で、通常の太陽光線下では蛍光発色を確認することは出来なく、ブラックライトを用いて強い紫外線照射することにより、表裏共に蛍光発色を確認することができた。また、外観上の品質の良好な冊子が得られた。
図４の表紙部１０を使用し、本発明の冊子を作成した場合も、表紙部５を使用した場合と同様の結果を得られた。
【００３０】
（実施例１）
図３の表紙部５において、下記に構成で本発明の冊子を作成した。その結果、表面カバーシート１１及び見返りシート１２の、それぞれの面から明瞭な蛍光発色による図柄を確認できた。
記
【００３１】
（１）アンテナシート
厚さ７０μｍ、材質：ＰＥＴ
（２）ＩＣチップ
ＩＣチップの厚み：５０μｍ
（３）表面カバーシート（２種類）
Ａ．材質：青色に着色されたポリオレフィン樹脂を紙にコーティングしたもの
製品名：エパロン８Ｑ２００  （ダイニック株式会社製）
厚み２５０μｍ
ＯＤ（Optical Density）値：２．００（測定値）
Ｂ．材質：紺色に着色された塩化ビニル樹脂を紙にコーティングしたもの
製品名：ロンニックＶＫ５４０  （ダイニック株式会社製）
厚み１９０μｍ
ＯＤ（Optical Density）値：２．５０（測定値）
（４）見返りシート（４種類）
材質：オレフィン系樹脂シート
Ａ．製品名：ＴｅｓｌｉｎＳＰ７００    ＰＰＧ社製    厚み１７８μｍ
ＯＤ（Optical Density）値：０．８５（測定値）
Ｂ．製品名：ＴｅｓｌｉｎＳＰ８００    ＰＰＧ社製    厚み２０３μｍ
Ｃ．製品名：ＴｅｓｌｉｎＳＰ１０００  ＰＰＧ社製    厚み２５４μｍ
Ｄ．製品名：ＴｅｓｌｉｎＳＰ１２００  ＰＰＧ社製    厚み３０５μｍ
ＯＤ（Optical Density）値：１．３９（測定値）
（５）接着剤
各シートに厚み１０μｍ塗布する。
接着剤：太陽インキ株式会社製  低温硬化型接着剤
（主剤    ＲＣＡ−２０００ＬＴ２１０）
（硬化剤  ＡＤ−１００ＬＴ１１０）
（６）蛍光材料
蛍光染料    製品名：ルモゲンＦイエロー０８３  ＢＡＳＦジャパン株式会社製
溶剤        製品名：ＡＣＴ８００メジウム    セイコーアドバンス社製
配合比      ５．０％〜０．２％
配合比は、０．２％以下では蛍光発色が弱く、また、５．０％以上からは、蛍光発色の輝度に変化は無かった。
シルク印刷方式にて塗布  （乾燥後印刷厚  ３〜６μm）
【００３２】
上記表面カバーシート２種類、見返りシート４種類を使用し、全ての組み合わせでラミネート機にて冊子を作成した。全ての組み合わせにおいて明瞭な蛍光発色による図柄を確認できた。
【００３３】
（実施例２）
図４の表紙部１０において、実施例１と同様の様式で冊子を作成した。その結果、明瞭な蛍光発色による図柄を確認できた。
【図１】
0005811733.tif 000002
【図２】
0005811733.tif 000003
【図３】
0005811733.tif 000004
【図４】
0005811733.tif 000005
【図５】
0005811733.tif 000006